(57)【要約】【課題】携帯通信端末からアタッチメントデバイスを制御することができる携帯通信端末・アタッチメントデバイス間の通信方法、携帯通信端末およびアタッチメントデバイスを提供する。【解決手段】通信網に接続可能な携帯通信端末であって、当該携帯通信端末に接続されたアタッチメントデバイスを出力コマンドにより制御することが可能である携帯通信端末。アタッチメントデバイスとの間でマルチプレックス通信を行うことも可能である。また、アタッチメントデバイスに対して認証に必要な情報を送信可能である。【選択図】　　　　図１
2004032295.tif 000002
【特許請求の範囲】
【請求項１】
通信網に接続可能な携帯通信端末であって、当該携帯通信端末に接続されたアタッチメントデバイスを出力コマンドにより制御することが可能である携帯通信端末。
【請求項２】
請求項１に記載された携帯通信端末であって、前記アタッチメントデバイスとの間でマルチプレックス通信を行うことを特徴とする携帯通信端末。
【請求項３】
請求項２に記載された携帯通信端末であって、前記アタッチメントデバイスに対して認証に必要な情報を送信可能であることを特徴とする携帯通信端末。
【請求項４】
通信網に接続可能な携帯通信端末に対して接続可能なアタッチメントデバイスであって、前記携帯通信端末より受信した出力コマンドにより制御されることを特徴とするアタッチメントデバイス。
【請求項５】
請求項４に記載されたアタッチメントデバイスであって、前記携帯通信端末との間でマルチプレックス通信を行うことを特徴とするアタッチメントデバイス。
【請求項６】
請求項５に記載されたアタッチメントデバイスであって、前記携帯通信端末から認証に必要な情報を受信して認証を行うことを特徴とするアタッチメントデバイス。
【請求項７】
通信網に接続可能な携帯通信端末とそれに接続可能なアタッチメントデバイスとの間の通信方法であって、前記携帯通信端末から出力コマンドを用いて前記アタッチメントデバイスを制御することが可能であることを特徴とする通信方法。
【請求項８】
請求項７に記載された通信方法であって、マルチプレックス通信を行うことを特徴とする通信方法。
【発明の詳細な説明】
【０００１】
【発明の属する技術分野】
本発明は、一般に携帯通信端末とそれに接続するアタッチメントデバイス間の通信に関し、特に携帯通信端末から出力コマンドによりアタッチメントデバイスを制御することを含む上記の通信に関する。
【０００２】
【従来の技術】
携帯通信端末に付加価値を追加したり、入力を簡便化するなどの様々な用途のために、携帯通信端末向けのアタッチメントデバイスが現在提案されている。これらのアタッチメントデバイスは、持ち運びを前提としているため小型化／省電力化が求められている。
【０００３】
また、従来の携帯通信端末とアタッチメントデバイス間の通信においては、携帯通信端末の入力コマンドを利用してアタッチメントデバイスから携帯通信端末へとデータを送信する方法が用いられている。この方法は、例えば入力用のキーボードやＵＲＬ入力型のアタッチメント等で利用されており、比較的入力の煩雑な携帯通信端末においてもこれらのアタッチメントデバイスを用いることにより入力の簡便化が可能となっている。一例として、丸紅ソリューション（株）から入手できる「Ｘｎａｖｉ」というアタッチメントデバイスがあり、それはインターネットへのアクセスのための煩雑な携帯電話操作を自動的に行ってくれるデバイスである（ｈｔｔｐ：／／ｗｗｗ．ｍｓｏｌ．ｃｏ．ｊｐ／ｓｅｎｅｔ／ｍｏｂｉｌｅ／ｘｎａｖｉ／ｉｎｄｅｘ．ｈｔｍｌ）。
【０００４】
さらに、この携帯通信端末とアタッチメントデバイス間の通信路は、アタッチメントデバイスが携帯通信端末の通信機能を用いてネットワークにリモートアクセスする場合にも利用されている。
【０００５】
【発明が解決しようとする課題】
上記で述べた従来の方法においては、アタッチメントデバイスから携帯通信端末への入力またはデータ送信を行うことができる。本発明は、特別な端子を設けず開発コストをかけずに携帯通信端末側から容易にアタッチメントデバイスを制御することができないという問題点を認識したものである。この問題点のために、アタッチメントデバイスヘの制御が必要な場合にはアタッチメントデバイス自身が入力デバイスを実装する必要があり、これがアタッチメントデバイスの小型化／省電力化の妨げとなる。
【０００６】
従来、携帯通信端末用の小型カメラ等では専用のコネクタを別途用意しそれを介してカメラ操作を行う方法が用いられているが、この方法は設置するアタッチメントの種類だけコネクタを用意する必要があるだけでなく、それに伴う開発コストの増加が問題となる。
【０００７】
また、アタッチメントデバイスから携帯通信端末への同一の通信路を利用して、制御情報のやり取りとネットワークヘのアクセスの双方が行われているにも拘わらず、携帯通信端末とアタッチメントデバイス間の通信にマルチプレックス（多重通信）方式が用いられていないことも問題である。この問題により、携帯通信端末をモデムとして利用しアタッチメントデバイスからネットワークにアクセスしている間は、上記で挙げた制御情報のやり取りが妨げられることになる。
【０００８】
そこで、本発明の一目的は、携帯通信端末からアタッチメントデバイスを制御することができる携帯通信端末・アタッチメントデバイス間の通信方法、携帯通信端末およびアタッチメントデバイスを提供することである。
【０００９】
本発明の他の目的は、携帯通信端末をモデムとして利用している際にも両者間での制御情報の自由なやり取りを可能とする、携帯通信端末・アタッチメントデバイス間の通信方法、携帯通信端末およびアタッチメントデバイスを提供することである。
【００１０】
本発明の他の目的は、アタッチメントデバイスの小型化／省電力化を容易にすると共により高度な付加機能を追加することのできる携帯通信端末・アタッチメントデバイス間の通信方法、携帯通信端末およびアタッチメントデバイスを提供することである。
【課題を解決するための手段】
上記の目的を達成するための本発明の一特徴に従った、通信網に接続可能な携帯通信端末は、当該携帯通信端末に接続されたアタッチメントデバイスを出力コマンドにより制御することが可能であることを特徴とする。携帯通信端末とアタッチメントデバイスとの間でマルチプレックス通信を行っても良い。また、携帯通信端末が、アタッチメントデバイスに対して認証に必要な情報を送信することが可能である。
【００１１】
本発明の他の特徴に従った、通信網に接続可能な携帯通信端末に対して接続可能なアタッチメントデバイスは、携帯通信端末より受信した出力コマンドにより制御されることを特徴とする。アタッチメントデバイスと携帯通信端末との間でマルチプレックス通信を行っても良い。また、アタッチメントデバイスが、携帯通信端末アから認証に必要な情報を受信して認証を行っても良い。
【００１２】
本発明の他の特徴に従った、通信網に接続可能な携帯通信端末とそれに接続可能なアタッチメントデバイスとの間の通信方法は、　携帯通信端末から出力コマンドを用いてアタッチメントデバイスを制御することが可能であることを特徴とする。この通信方法において、マルチプレックス通信を行っても良い。
【作用】
上記のような構成を採用した結果、携帯通信端末に出力コマンドを実装してアタッチメントデバイスを制御するための出力機能を持たせることが可能となり、アタッチメントデバイスに入力デバイスを実装する必要がなくなる。携帯通信端末・アタッチメントデバイスから互いに相手の機能を制御することが可能となるため、入力デバイス以外にも共有機能を削減することが可能となり、アタッチメントのさらなる小型化及びそれに伴う省電力化を図ることができる。また、アタッチメントデバイスの着脱により携帯通信端末に新たな機能を追加することも実現可能となる。
【００１３】
さらに、携帯通信端末・アタッチメントデバイス間の通信をマルチプレックス（多重通信）化することにより、アタッチメントデバイスが携帯通信端末を介してネットワークに接続している際においても、携帯通信端末・アタッチメントデバイス間で自由に相互制御を行うことが可能となる。
【発明の実施の形態】
以下、図面を参照しながら本発明の実施の形態について詳しく説明する。図１に本発明の実施形態に従った携帯通信端末・アタッチメントデバイス間の通信システムを含む全体的な通信システムの構成例を示す。図１において、携帯通信端末１０が、無線通信を介して移動通信網１２に接続されている。本実施形態においては移動通信網を例示したが、本発明の通信網はこれに限定されず、無線ＬＡＮ、Ｂｌｕｅｔｏｏｔｈ、赤外線通信、有線ＬＡＮ、構内または公衆電話回線網、その他のあらゆる通信経路を含むものである。携帯通信端末１０は、アナログ方式移動電話、デジタル方式移動電話、ＰＨＳ，　ＴＤＭＡ，　ＣＤＭＡその他のいかなる方式のセルラー電話または無線電話であって良く、あるいはこれらの通信機能を有するＰＤＡ、ハンドヘルドＰＣなどの端末であっても良い。携帯通信端末１０は、移動通信網１２を経由し、インターネット１３を介してサーバ１４，１６と通信可能であり、いわゆるモバイルインターネットサービスを受けることができる。インターネットサービスプロバイダは、モバイルデータに適したモバイル専用のアクセスポイントを設置することができる。
【００１４】
アタッチメントデバイスまたは付属装置２０が、携帯通信端末１０に着脱可能であり、取り付けたときに携帯通信端末１０と通信可能である。あるいは赤外線または無線周波などを用いた至近距離無線通信であっても良い。アタッチメントデバイス２０は、携帯通信端末１０に付加価値を追加するデバイスであって、例えば入力を簡便化するヒューマンインターフェースデバイスやデータ送信デバイス、ＧＰＳ、小型カメラを内蔵した動／静止画像送受信デバイス、音楽送受信デバイス、ＰＤＡ、メイル／画像／文章編集デバイス、通信ゲーム機、その他のモバイルマルチメディアデバイスなどいかなる電子機器であっても良い。携帯通信端末１０とアタッチメントデバイス２０との間には、双方向のマルチプレックス通信が確立されている。従って、同時に複数の制御情報やデータを送受信することができる。携帯通信端末の入力コマンドを利用して、アタッチメントデバイスを制御することができる。このマルチプレックス通信のプロトコルは公知のものを使うことができ、ここでは説明しない。
【００１５】
一例として、パスワード検証機能および演算機能を有するアタッチメントデバイスを考える。アタッチメントデバイス２０がサーバ１４からのサービスの提供を受けたい場合に、携帯通信端末１０を経由して、サーバ１４に対して接続要求を送信する。接続要求を受信したサーバ１４は、チャレンジをアタッチメントデバイス２０に返送する。アタッチメントデバイス２０は、提示されたチャレンジに対して正しい演算結果（レスポンス）をサーバ１４に返すことができるか否かで、サーバヘのアクセス制御が行われる。また、アタッチメントデバイス２０は、演算処理を実行する前に、パスワードによるユーザ認証を行うことで、演算処理の実行権限を有する正規ユーザがアタッチメントデバイスを使用しているか否かを検証しても良い。こうすることで、アタッチメントデバイス盗難等によるサーバヘの不正アクセスを防止することができる。このような技術は社内ＬＡＮへの不正アクセスを防止する等の利用用途においても有効である。
【００１６】
本発明の実施形態に従った、アクセス制御手順を図２に示す。この実施形態において、通信機能・入力機能は携帯通信端末１０のみが有し、パスワード検証機能・演算機能はアタッチメントデバイス２０のみが有するという制限を加えている。このような制限下でも、本発明を用いることにより上記の目的が達成できる。
【００１７】
アタッチメントデバイス２０は入力機能を保有していないので、ユーザはまず携帯通信端末１０を操作してサーバ１４に対して接続要求を行う（２１）。アタッチメントデバイス２０が入力機能を有していれば、ユーザはアタッチメントデバイス２０を操作して接続要求を送信することもできる。接続要求を受信したサーバ１４は、アタッチメントデバイス２０に対してアクセス制御用のチャレンジを送信する（２２）。次に、アタッチメントデバイス２０は、ユーザが演算処理の権限を有するユーザであるか否かを検証するために、携帯通信端末１０を介してユーザに対しパスワードの入力を要求する（２３）。携帯通信端末１０上にパスワード要求が表示されたら、ユーザは携帯通信端末１０にパスワードを入力する（２４）。携帯通信端末１０は、入力されたパスワードをアタッチメントデバイス２０に送信する（２５）。アタッチメントデバイス２０は、受信したパスワードを検証し（２６）、正しいパスワードであった場合のみチャレンジの演算処理を実行する（２７）。アタッチメントデバイス２０は、演算処理の結果をレスポンスとしてサーバに送信する（２８）。サーバ１４は、受信したレスポンスを検証し（２９）、検証の結果正しいレスポンスであると判断した場合に、アタッチメントデバイス２０に対してサーバヘの接続許可を与える（３０）。携帯通信端末・アタッチメントデバイス間にマルチプレックス通信が確立されているので、アタッチメントデバイス２０は、携帯通信端末１０を介してサーバ１４と通信中であっても、携帯通信端末１０との間で制御情報をやり取りすることができる。
【００１８】
【発明の効果】
本発明の実施形態によれば、携帯通信端末が有していない必要最低限の機能をアタッチメントデバイスに実装するだけで、携帯通信端末を利用したより高度なサービスを享受することが可能となる。
【００１９】
また、携帯通信端末・アタッチメントデバイス間でマルチプレックス方式を用いた通信方式で相互制御を実現することにより、アタッチメントの小型化／省電力が実現できると共に、携帯通信端末により高度な機能を追加することができる。
【図面の簡単な説明】
【図１】本発明に従った携帯通信端末・アタッチメントデバイス間の通信を含む、通信システム全体の概要図である。
【図２】本発明に従った、接続要求・許可の手順を表すチャートである。
【符号の説明】
１０　　　携帯通信端末
１２　　　移動通信網
１３　　　インターネット
１４，１６　　サーバ
２０　　　アタッチメントデバイス
２１　　　接続要求
２２　　　チャレンジ
２３　　　パスワード要求
２４　　　パスワード入力
２５　　　パスワード
２６　　　パスワードの検証
２７　　　チャレンジの演算
２８　　　レスポンス
２９　　　レスポンスの検証
３０　　　接続許可
【図１】
2004032295.tif 000003
【図２】
2004032295.tif 000004